(57)【要約】【課題】スポットライトにおいて、光照射方向の変更構造を簡単にし、断線の防止を図る。【解決手段】スポットライト１は、光源２と、光源２から出射される光を反射する反射鏡３と、光源２を支持するソケットと、ソケットを収容するアーム５とを備える。光源２は、その長手方向の中心軸が反射鏡３の開口面と略平行に配置されている。反射鏡３は、光源２の長手方向の中心軸を中心に回動自在にアーム５に支持されたセード６に固定されている。このため、光源２及びソケットを動かすことなくセード６を回動させるだけで、光照射方向を変更することができる。従って、光照射方向の変更構造を簡単にすることができる。また、光照射方向の変更時に光源２及びソケットは動かないので、ソケットから導出されるリード線がアーム５に収容される場合に、光照射方向の変更に伴うリード線の形状の変化を防ぐことができ、断線の防止を図ることができる。【選択図】図６
2008293876.tif 000002
【特許請求の範囲】
【請求項１】
光源と、前記光源から出射される光を反射する反射鏡と、前記光源を支持するソケットと、前記ソケットを収容するアームと、を備えたスポットライトにおいて、
前記光源は、その長手方向の中心軸が前記反射鏡の開口面と略平行に配置され、
前記反射鏡は、前記光源の長手方向の中心軸を中心に回動自在に前記アームに支持された回動体に固定されていることを特徴とするスポットライト。
【発明の詳細な説明】
【技術分野】
【０００１】
本発明は、天井面等に設置されるスポットライトに関する。
【背景技術】
【０００２】
従来から、光源と、この光源の光を反射する反射板と、光源を支持するソケットと、反射板を取り付けるための反射板取付部材及び上記のソケットを収容するライト本体と、このライト本体を首振り可能に支持するアームと、このアームの基端部を支持し、天井面や壁面等に取り付けられる基台とを備えたスポットライトが知られている（例えば、特許文献１参照）。このスポットライトにおいて、反射板の形状は凹状であり、この反射板は、内部に挿入される光源を取り囲むように成形されている。上記のアームは、基台に水平回転可能に支持されている。アームの内部には、ソケットと基台内に収容されたトランスとを接続する配線が収容されている。上記構成においては、アームを回転させつつ、ライト本体の首振り角を調整することにより、スポットライトの光照射方向を変更することができる。
【０００３】
しかしながら、特許文献１に記載の技術では、ライト本体には、反射板取付部材等の各種部品が含まれ、さらにソケットや反射板が取り付けられているので、ライト本体の首振り角を調整可能にしつつ、ライト本体の自重により首振り角が自然と変化することがないようにライト本体を支持する必要がある。従って、光照射方向を可変にするために複雑な構造が必要になるという問題がある。また、光照射方向変更の度に、ライト本体の首振り角が調整されるので、ライト本体がアームにより支持される箇所で配線の形状が変化することがある。このため、配線が損傷して断線の生じる虞がある。
【特許文献１】特開２００２−１１７７０１号公報
【発明の開示】
【発明が解決しようとする課題】
【０００４】
本発明は、上記の従来の問題を解決するためになされたものであり、光照射方向の変更構造を簡単にすることができ、断線の防止を図ることができるスポットライトを提供することを目的とする。
【課題を解決するための手段】
【０００５】
上記目的を達成するために請求項１の発明は、光源と、前記光源の光を反射する反射鏡と、前記光源を支持するソケットと、前記ソケットを収容するアームと、を備えたスポットライトにおいて、前記光源は、長手方向の中心軸が前記反射鏡の開口面と略平行に配置され、前記反射鏡は、前記光源の長手方向の中心軸を中心に回動自在に前記アームに支持された回動体に固定されているものである。
【発明の効果】
【０００６】
請求項１の発明によれば、光源及びソケットを動かすことなく回動体を回動させるだけで、光照射方向を変更することができる。このため、光照射方向の変更構造を簡単にすることができる。また、光照射方向の変更時に光源及びソケットは動かないので、ソケットから導出される配線がアームに収容される場合に、光照射方向の変更に伴う配線の形状の変化を防ぐことができ、断線の防止を図ることができる。
【発明を実施するための最良の形態】
【０００７】
以下、本発明の一実施形態に係るスポットライトについて図面を参照して説明する。図１乃至図３（ａ）（ｂ）は、本実施形態に係るスポットライト１の構成を示す。このスポットライト１は、例えば天井面等に設置されて吊り下げ固定され、商業空間の商品演出や建築空間の空間演出等のため照明光を対象物に照射する照明装置である。スポットライト１は、光源２と、光源２から出射される光を反射する反射鏡３と、光源２を支持するソケット４と、ソケット４を収容するアーム５と、反射鏡３が固定されるセード６（回動体）と、アーム５を吊り下げる筐体７と、を備える。光源２は、反射鏡３の開口面Ｐと略平行に配置されている。セード６は、アーム５の下端部に、光源２の長手方向の中心軸を中心に回動自在に支持されている。筐体７には、光源２を点灯させる電子式の安定器８が収容されている。
【０００８】
光源２は、例えば、セラミックメタルハライドランプにより構成される。このセラミックメタルハライドランプは背高で、外形が略円柱状であり、その口金は例えばスクリュータイプである。この光源２は、その長手方向が水平方向と略平行になるように配設されている。光源２の構成及び形状は上記に限定されない。
【０００９】
反射鏡３は、略円錐台状又は略椀状であり、その径は光源２のバルブ部分の長さより大きい。この反射鏡３には、前面と背面とに開口３１、３２が設けられている。この前面の開口３１は光出射用の開口であり、背面の開口３２より径が大きい。背面の開口３２は放熱用の開口である。ソケット４は、アーム５の下端部に収容されている。このソケット４には、光源２の口金が固定される。
【００１０】
アーム５は、中空筒状体であり、水平部５１と、水平部５１の一端からこの水平部５１と略９０度の角度を持って下方に延びる垂直部５２とにより構成されている。水平部５１の他端には、上方に延びる略円筒状の軸部５３が設けられている。この軸部５３は筐体本体７１の底部に設けられた孔（不図示）に挿し込まれる。また、軸部５３は、アーム５の水平回動が可能となるように筐体本体７１に固定され、さらに筐体７からの脱落を防止するようにナット等により固定される。
【００１１】
垂直部５２の下端には、ソケット４を取り付けるためのソケット取付部５４が形成されている。このソケット取付部５４は、略円筒状の形状を有し、軸部５３側で水平部５１と略平行な方向に突出している。ソケット取付部５４の中心軸は、光源２の長手方向の中心軸と略一致している。ソケット取付部５４の先端部では、外周の一部が切欠されており、段差部５４ａが形成されている。ソケット取付部５４は、ソケット４取付時にソケット４を収容する。ソケット４から導出される不図示のリード線（配線）は、このアーム５の内側に収容され、筐体７内の安定器８に導かれる。
【００１２】
セード６は、前面が開口した桶状で且つ正面視略円形状のセード本体６１と、このセード本体６１の前面開口に対応した大きさを有する略環状の前面枠６２とにより構成される。セード本体６１の大きさは、反射鏡３の大きさに対応しており、セード本体６１の径は、光源２のバルブ部分の長さより大きい。セード本体６１の背面には、放熱用の開口６１ａが設けられており、この開口６１ａの位置は、反射鏡３の放熱用の開口３２と対応している。前面枠６２は、セード本体６１の前面開口への嵌め込み及び回転によりセード本体６１への取り付けが可能に構成されている。反射鏡３は、セード本体６１の前面開口から嵌め込まれ、固定用バネ９によりセード本体６１内部に押し当てられて固定される。このようにしてセード本体６１は反射鏡３を内包する。セード本体６１の前面開口には、反射鏡３がセード本体６１に内包された状態で、前面枠６２が取り付けられる。
【００１３】
セード本体６１の側部には、略円筒状の軸受部６１ｂが貫通して形成されている。この軸受部６１ｂには、アーム５のソケット取付部５４が嵌挿される。セード６は、ソケット取付部５４が軸受部６１ｂに嵌挿された状態で、ソケット取付部５４を軸とした回動が可能となる。従って、ソケット４に光源２が装着された状態で、ソケット取付部５４が軸受部６１ｂに嵌挿されたとき、光源２をを動かすことなく、セード６を回動させるだけで光照射方向を上下方向に変更することが可能となる。
【００１４】
軸受部６１ｂの内側には、セード６の回動範囲を規制するための突起状の回動ストッパ６１ｃが形成されている。この回動ストッパ６１ｃが、ソケット取付部５４の回動時にその段差部５４ａと当接することにより、セード６の回動範囲が規制される。また、軸受部６１ｂには、ソケット取付部５４の外周形状に対応して成形された円弧状の板ばね部材６３が配設されている。この板ばね部材６３は、セード本体６１の前面開口側に設けられており、軸受部６１ｂに挿入されたソケット取付部５４をセード本体６１の背面側に押圧する。このため、ソケット取付部５４の抜け落ち防止及び軸力の確保を図ることができる。
【００１５】
筐体７は、上面が開口した筐体本体７１と、その開口を塞ぐカバー７２とにより構成される。筐体本体７１は、安定器８と、配線ダクト（不図示）に接続され、安定器８に給電するプラグ１０とを収容する。プラグ１０は、配線ダクトの接続を可能にするため、一部が露出するように設けられ、カバー７２に固定されている。筐体本体７１の底部の略中央には、アーム５の軸部５３が嵌挿される孔（不図示）が形成されている。アーム５により導かれたソケット４のリード線は、筐体本体７１内で安定器８と接続される。
【００１６】
図４は、光源２及び反射鏡３部分の断面構成を示す。光源２は、反射鏡３前方に、また、その長手方向の中心軸Ｌ（一点鎖線で示す）が反射鏡３の開口３１の開口面Ｐ（破線で示す）と略平行になるように配置されている。さらに、光源２は、中心が反射鏡３の焦点位置と重なるように配設されている。
【００１７】
図５は、アーム５部分の詳細な構成を示す。アーム５は、ソケット４から導出される配線すなわちリード線４１を収容する枠部材５Ａと、枠部材５Ａの開口を塞ぐカバー５Ｂとが組み合わされて成る中空筒状体である。枠部材５Ａ及びカバー５Ｂは、組み合わされた状態で、水平部５１、垂直部５２、軸部５３及びソケット取付部５４を構成する。枠部材５Ａは、水平部５１を構成する部分において、上部が開口しており、縦断面が略コの字状であり、垂直部５２を構成する部分においては、側部が開口しており、横断面が略コの字状である。また、枠部材５Ａは、軸部５３を構成する部分において、その側部が開口しており、ソケット取付部５４を構成する部分において、ソケット４の外周側方を取り囲むように略円筒状に形成されており、その両端部が開口している。水平部５１、垂直部５２、軸部５３及びソケット取付部５４のソケット４基端側の開口は一続きである。カバー５Ｂは、この開口を塞ぐように形成されている。枠部材５Ａとカバー５Ｂとは、ねじ等により互いに固定される。
【００１８】
図６（ａ）乃至（ｃ）は、斜め上方、水平方向及び斜め下方に光を照射したときのスポットライト１の様子を示す。スポットライト１においては、セード６を、アーム５のソケット取付部５４を軸として垂直方向に回動させることにより、セード６の前面開口の向きが変化すると共に、セード６に固定された反射鏡３の開口３１の向きが変わる。このとき、光源２、ソケット４及びアーム５は動かない。反射鏡３の開口３１の向きが変化することにより、光の反射方向が変化する。従って、光照射方向が上方向又は下方向に変更される。このため、例えば、セード６の前面開口を斜め上方、水平方向又は前面開口を斜め下方に向けることにより、斜め上方、水平方向又は斜め下方に光を照射することができる。また、アーム５は水平回動自在に筐体７に支持されているので、光照射方向を水平方向に変更することもできる。
【００１９】
本実施形態においては、アーム５には、光源２を支持するソケット４が収容され、さらにセード６が回動自在に支持されており、このセード６には反射鏡３が固定されており、光源２及びソケット４を動かすことなくセード６を回動させるだけで、光照射方向を上下方向に変更することができる。このため、光照射方向の変更構造を簡単にすることができる。従って、部品点数の低減やコストの低減、又は容易な組み立てが可能となる。また、光照射方向の上下方向への変更時に光源２及びソケット４は動かないので、光照射方向の変更に伴うリード線４１の形状の変化を防ぐことができ、断線の防止を図ることができる。
【００２０】
なお、本発明は、上記の実施形態の構成に限定されるものでなく、使用目的に応じ、様々な変形が可能である。例えば、スポットライト１は、天井面に限定されず、壁面又は床面等に設置可能に構成されていてもよい。
【図面の簡単な説明】
【００２１】
【図１】本発明の一実施形態に係るスポットライトの斜視図。
【図２】上記スポットライトの分解斜視図。
【図３】（ａ）は上記スポットライトにおいてセードをアームから取り外したときの斜視図、（ｂ）は同スポットライトにおけるアーム部分の斜視図。
【図４】上記スポットライトのセード、反射鏡及び光源部分の横断面図。
【図５】上記スポットライトのアーム部分の分解斜視図。
【図６】（ａ）は斜め上方への光照射時における上記スポットライト要部を示す斜視図、（ｂ）は水平方向への光照射時における同スポットライト要部を示す斜視図、（ｃ）は斜め下方への光照射時における同スポットライト要部を示す斜視図。
【符号の説明】
【００２２】
１  スポットライト
２  光源
３  反射鏡
４  ソケット
４１  リード線
５  アーム
６  セード（回動体）
Ｌ  中心軸
Ｐ  開口面
【図１】
2008293876.tif 000003
【図２】
2008293876.tif 000004
【図３】
2008293876.tif 000005
【図４】
2008293876.tif 000006
【図５】
2008293876.tif 000007
【図６】
2008293876.tif 000008